(57)【要約】【課題】電子装置が使用している無線周波数に応じてＰＷＭ制御の制御周波数を切り替えることで、無線特性劣化を最少とする電子装置を提供する。【解決手段】処理部１と無線部４と表示装置３とを有する電子装置であって、電子装置１の周囲照度の測定を行い測定結果を輝度情報として処理部１に通告する照度検出部８と、ＰＷＭ制御部２とを更に有し、無線部４は、使用無線周波数と信号受信強度を使用信号として処理部１に通知する機能を有し、処理部１は、前記使用信号及び前記輝度情報に応答してＰＷＭ制御部２にＰＷＭ周波数制御信号を送出する機能を有し、ＰＷＭ制御部２は前記ＰＷＭ周波数制御信号に応答して表示装置３の輝度制御のＰＷＭ制御周波数を変更する機能を有する。【選択図】図２
2010130380.tif 000002
【特許請求の範囲】
【請求項１】
処理部と、無線部と、表示装置とを有する電子装置であって、前記電子装置の周囲照度の測定を行い、測定結果を輝度情報として前記処理部に通告する照度検出部と、ＰＷＭ制御部とを更に有し、前記無線部は、使用無線周波数と信号受信強度を使用信号として前記処理部に通知する機能を有し、前記処理部は、前記使用信号及び前記輝度情報に応答して前記ＰＷＭ制御部にＰＷＭ周波数制御信号を送出する機能を有し、前記ＰＷＭ制御部は前記ＰＷＭ周波数制御信号に応答して前記表示装置の輝度制御のＰＷＭ制御周波数を変更する機能を有することを特徴とする電子装置。
【請求項２】
前記処理部は、前記無線部の使用無線周波数の変更を検出したとき、前記ＰＷＭ制御部に前記ＰＷＭ周波数制御信号を送出し、前記ＰＷＭ制御部は、前記ＰＷＭ周波数制御信号に応答して前記表示装置の輝度制御のＰＷＭ制御周波数を変更することを特徴とする請求項１に記載の電子装置。
【請求項３】
前記ＰＷＭ制御部は、ＰＷＭ周波数設定部とＰＷＭ部とを有し、前記ＰＷＭ周波数設定部は、複数のＰＷＭ制御周波数を有し、前記処理部からの前記ＰＷＭ周波数制御信号を用いて前記複数のＰＷＭ制御周波数の一つを選択し、選択されたＰＷＭ制御周波数に応答して前記表示装置の輝度制御のＰＷＭ制御周波数を変更することを特徴とする請求項１又は２に記載の電子装置。
【請求項４】
前記ＰＷＭ周波数設定部は、変更された使用無線周波数の信号受信強度が最良となる、前記複数のＰＷＭ制御周波数の一つを、前記選択されたＰＷＭ制御周波数として選択することを特徴とする請求項３に記載の電子装置。
【請求項５】
処理部と、無線部と、表示装置とを有する電子装置の画面輝度制御方法であって、照度検出部において前記電子装置の周囲照度の測定を行い、測定結果を輝度情報として前記処理部に通告し、前記無線部において、使用無線周波数と信号受信強度を使用信号として前記処理部に通知し、前記処理部において、前記使用信号及び前記輝度情報に応答して前記ＰＷＭ制御部にＰＷＭ周波数制御信号を送出し、前記ＰＷＭ制御部において前記ＰＷＭ周波数制御信号に応答して前記表示装置の輝度制御のＰＷＭ制御周波数を変更することを特徴とする電子装置の画面輝度制御方法。
【請求項６】
前記処理部において、前記無線部の使用無線周波数の変更を検出したとき、前記ＰＷＭ制御部に前記ＰＷＭ周波数制御信号を送出し、前記ＰＷＭ制御部において、前記ＰＷＭ周波数制御信号に応答して前記表示装置の輝度制御のＰＷＭ制御周波数を変更することを特徴とする請求項５に記載の電子装置の画面輝度制御方法。
【請求項７】
前記ＰＷＭ制御部において、前記処理部からの前記ＰＷＭ周波数制御信号を用いて複数のＰＷＭ制御周波数の一つを選択し、選択されたＰＷＭ制御周波数に応答して前記表示装置の輝度制御のＰＷＭ制御周波数を変更することを特徴とする請求項５又は６に記載の電子装置の画面輝度制御方法。
【請求項８】
前記ＰＷＭ制御部において、変更された使用無線周波数の信号受信強度が最良となる、前記複数のＰＷＭ制御周波数の一つを、前記選択されたＰＷＭ制御周波数として選択することを特徴とする請求項７に記載の電子装置の画面輝度制御方法。
【発明の詳細な説明】
【技術分野】
【０００１】
本発明は、電子装置及び電子装置の画面輝度制御方法に関する。
【背景技術】
【０００２】
以下電子装置として携帯端末を例にとって説明するが、本発明による電子装置は携帯端末に限定されるものではない。
【０００３】
近年の携帯端末では画面の輝度制御にＰＷＭ(Pulse Width Modulation)制御を利用している。画面輝度のＰＷＭ制御は輝度を電流制御で行う方法よりも輝度の細かな設定が可能であり、消費電力低減に寄与する為用いられている。
【０００４】
しかし、ＰＷＭ制御の制御周波数によっては携帯端末の基地局との通信に利用する無線周波数の無線特性劣化を引き起こす為、無線特性劣化を起こさないＰＷＭ制御周波数を選定する必要がある。
【０００５】
一方、携帯端末が使用する無線周波数は無線トラフィック増加やカバーエリアの相互補完として周波数帯域の異なる複数の無線周波数を利用するため、無線特性劣化を引き起こさない制御周波数を選定するのは容易ではない。
【０００６】
特開２００８−１５４１３５号公報（特許文献１）は、その要約に、選択された音信号の種別に基いて、ＰＷＭ変調する際に用いる搬送波信号のＰＷＭ搬送波周波数を切り換えて各音信号の信号レベルを増幅するＤ級増幅器を開示している。
【０００７】
特開平９−２６０９６６号公報（特許文献２）は、段落［００２８］に、パルス幅変調信号のパルス幅が音声信号に応じて可変されるものであることを開示している。
【０００８】
【特許文献１】特開２００８−１５４１３５号公報
【特許文献２】特開平９−２６０９６６号公報
【発明の開示】
【発明が解決しようとする課題】
【０００９】
本発明の目的は、電子装置が使用している無線周波数に応じてＰＷＭ制御の制御周波数を切り替えることで、無線特性劣化を最少とする電子装置及び該電子装置の画面輝度制御方法を提供することにある。
【課題を解決するための手段】
【００１０】
本発明の第１の態様によれば、処理部と、無線部と、表示装置とを有する電子装置であって、前記電子装置の周囲照度の測定を行い、測定結果を輝度情報として前記処理部に通告する照度検出部と、ＰＷＭ制御部とを更に有し、前記無線部は、使用無線周波数と信号受信強度を使用信号として前記処理部に通知する機能を有し、前記処理部は、前記使用信号及び前記輝度情報に応答して前記ＰＷＭ制御部にＰＷＭ周波数制御信号を送出する機能を有し、前記ＰＷＭ制御部は前記ＰＷＭ周波数制御信号に応答して前記表示装置の輝度制御のＰＷＭ制御周波数を変更する機能を有することを特徴とする電子装置が得られる。
【００１１】
本発明の第２の態様によれば、処理部と、無線部と、表示装置とを有する電子装置の画面輝度制御方法であって、照度検出部において前記電子装置の周囲照度の測定を行い、測定結果を輝度情報として前記処理部に通告し、前記無線部において、使用無線周波数と信号受信強度を使用信号として前記処理部に通知し、前記処理部において、前記使用信号及び前記輝度情報に応答して前記ＰＷＭ制御部にＰＷＭ周波数制御信号を送出し、前記ＰＷＭ制御部において前記ＰＷＭ周波数制御信号に応答して前記表示装置の輝度制御のＰＷＭ制御周波数を変更することを特徴とする電子装置の画面輝度制御方法が得られる。
【発明の効果】
【００１２】
本発明に従えば、電子装置が使用している無線周波数に応じてＰＷＭ制御の制御周波数を切り替えることで、無線特性劣化を最少とする電子装置及び該電子装置の画面輝度制御方法を得ることができる。
【発明を実施するための最良の形態】
【００１３】
以下、本発明の実施形態について図面を参照して説明する。
【００１４】
まず、図１を参照して、関連技術としての電子装置について説明する。この電子装置は携帯端末であって、ＣＰＵ(Central Processing Unit)１と、表示装置３と、無線部４と、ＲＡＭ(Random Access Memory)５と、ＲＯＭ(Read Only Memory)６と、本携帯端末への入力を行う入力部（ＫＥＹ）７と、ＰＷＭ制御部８０とを有する。
【００１５】
ＰＷＭ制御部８０はＣＰＵ１からの制御信号１１で表示装置３の輝度制御をＰＷＭ制御にて行う。ＰＷＭ制御は輝度調整の為のパルス幅の制御を行う。
【００１６】
この携帯端末では画面の輝度制御にＰＷＭ制御を利用している。携帯キャリアはあらゆる場所でサービスを提供する為に周波数帯域の異なる複数の無線周波数を使用している。
【００１７】
この携帯端末では、画面輝度調整にＰＷＭ制御を用いる為ＰＷＭ制御周波数に依存した雑音が端末内に発生し、無線部の受信感度劣化を引き起こす。
【００１８】
この無線部の受信感度劣化を防止するためＰＷＭ制御周波数を選定する。しかし、無線で使用する周波数帯域はサービスを継続提供するため周波数帯域の異なる複数の無線周波数があることや、携帯端末に付加機能として電波を利用したものが複数搭載される為、無線部受信感度劣化を引き起こさないＰＷＭ制御周波数選定は煩雑である。
【００１９】
図２を参照すると、本発明の第１の実施形態による電子装置が示されている。この電子装置もまた携帯端末である。本携帯端末は、端末の制御を行う処理部として作用するＣＰＵ１と、表示装置３の輝度制御を行うＰＷＭ制御部２と、端末の表示機能を有する表示装置３と、携帯端末と基地局との無線送受信を行う無線部４とを有する。さらに、本携帯端末は、ＣＰＵ１と接続された記憶部であるＲＡＭ(Random Access Memory)５と、プログラム等を格納したＲＯＭ(Read Only Memory)６と、携帯端末への入力を行う入力部（ＫＥＹ）７と、端末の周囲照度を測定を行う照度センサ（照度検出部）８とを有する。
【００２０】
ＣＰＵ１は、携帯端末の入力処理等やプログラムの実行を行い、輝度制御に必要な情報を表す輝度調整信号１１とＰＷＭ制御周波数を指定するＰＷＭ周波数制御信号１２をＰＷＭ制御部２に送出する。この際、ＣＰＵ１は、無線部４の使用周波数や受信強度を使用信号１３として入力され、照度センサ８から輝度情報１４として入力される。その他にＣＰＵ１は表示装置３、記憶回路のＲＡＭ５、プログラム等を格納したＲＯＭ６、入力部（ＫＥＹ）７と接続される。
【００２１】
図３を参照すると、図２に示された携帯端末のＰＷＭ制御部２の回路構成が示されている。ＰＷＭ制御部２において、ＰＷＭ回路（ＰＷＭ部）１０１は、ＣＰＵ１からの輝度調整信号１１を用いて、表示装置３の輝度制御をＰＷＭ制御にて行い、表示装置３へ輝度制御された電流を送出する。この際、ＰＷＭ回路１０１は、ＰＷＭ周波数設定回路（ＰＷＭ周波数設定部）１０２からの選択信号を用いてＰＷＭ制御周波数を決定する。ＰＷＭ周波数設定回路１０２は回路内にα(α≧２)通りのＰＷＭ制御周波数を保有しており、ＣＰＵ１からのＰＷＭ周波数制御信号１２を用いてＰＷＭ制御周波数を選択しＰＷＭ回路１０１に送出する。
【００２２】
図２に戻って、表示装置３はＣＰＵ１からの描画情報とＰＷＭ制御部２からの電流を用いて画像を表示する機能を有する。
【００２３】
無線部４は携帯端末と基地局との無線送受信を行い無線制御に必要な制御情報や端末へのデータ等を送受信しＣＰＵ１と送受信する。また、使用している無線周波数情報、受信強度情報を使用信号１３としてＣＰＵ１に送出する。
【００２４】
ＲＡＭ５はＣＰＵ１の記憶部やＲＯＭ６のデータ展開部として用いられる。
【００２５】
ＲＯＭ６はＣＰＵ１に必要なプログラム等を格納する機能を有する。
【００２６】
入力部（ＫＥＹ）７は、携帯端末の入力情報をＣＰＵ１に送出する機能を有する。
【００２７】
照度センサ８は、携帯端末周辺の輝度を測定し、輝度情報１４としてＣＰＵ１に送出する機能を有する。
【００２８】
図４には、図２に示された携帯端末の動作（画面輝度制御処理）を説明するためのフローチャートが示されている。
【００２９】
図４を、図２及び図３と共に参照して、携帯端末において表示装置３が画像を表示中の輝度制御について説明する。図４のフローチャートにおいて通常状態（無線使用周波数変更時でも照度制御実施時でもない状態）では、無線部４が使用している無線周波数情報と受信強度情報を使用信号１３としてＣＰＵ１に送出する。ＣＰＵ１は使用信号１３の使用している無線周波数情報を監視する。ＰＷＭ制御部２内のＰＷＭ周波数設定回路１０２はＣＰＵ１からのＰＷＭ周波数制御信号１２に応じてＰＷＭ使用周波数を選択しＰＷＭ回路１０１へ送出する。ＰＷＭ回路１０１は、ＰＷＭ周波数設定回路１０２から送出された信号を基にＰＷＭ制御周波数を決定し、ＣＰＵ１からの輝度調整信号１１を用いてＰＷＭ制御を行い電流を生成し表示装置３へ送出することで画面の輝度制御を行う。
【００３０】
無線部４が使用周波数を変更すると変更後の無線周波数情報を使用信号１３を用いてＣＰＵ１に送出する。ＣＰＵ１は監視していた使用信号１３内の無線周波数情報の変更を検出し、ＰＷＭ制御周波数変更を実行する。
【００３１】
ここで、ＰＷＭ制御周波数変更について説明する。図５はＰＷＭ制御周波数変更手順を示したフローチャートである。
【００３２】
図５を図２及び図３と共に参照して、ＣＰＵ１は制御周波数をｆ０と指定するＰＷＭ周波数制御信号１２をＰＷＭ周波数設定回路１０２に送出する。ＰＷＭ回路１０１はＰＷＭ周波数設定回路１０２からの制御信号でＰＷＭ制御周波数をｆ０に設定する。無線部２ではこの時（ＰＷＭ制御周波数ｆ０時）の受信強度情報を使用信号１３に含めてＣＰＵ１に送出する。ＣＰＵ１では使用信号１３に含まれる受信強度情報をＰＷＭ制御周波数ｆ０に対する受信強度Ｒ０として記憶する。次にＣＰＵ１はＰＷＭ制御周波数をｆ１として同様に受信強度の測定及び記憶を行い、ＰＷＭ周波数設定回路１０２が保持しているα(α≧２)通りのＰＷＭ制御周波数に対する受信強度の測定及び記憶を実施する。α通りの測定を実施後ＣＰＵ１は記憶したＲ０〜Ｒαの受信強度を比較し最良の受信強度Ｒｔを決定する。決定後ＣＰＵ１はＰＷＭ周波数設定回路１０２に制御周波数をｆｔとするＰＷＭ周波数制御信号１２をＰＷＭ周波数設定回路102に送出する。ＰＷＭ回路１０１はＰＷＭ周波数設定回路１０２からの制御信号でＰＷＭ制御周波数をｆｔに設定する。
【００３３】
なお、図４において、照度（輝度）制御実施時のＰＷＭ制御周波数変更動作も上記同様の動作となる。
【００３４】
以上説明したように本実施形態においては以下に記載するような効果を奏する。
【００３５】
本実施形態の効果は、無線部４の無線周波数情報、受信強度情報を用いてＰＷＭ制御部２のＰＷＭ制御周波数を決定する。これにより無線特性劣化を引き起こさない携帯端末を提供することが可能となる。
【００３６】
図６を参照すると、本発明の第２の実施形態による電子装置が示されている。この電子装置もまた携帯端末である。図６の携帯端末において、図２と構成が同じものは同じ機能を有しているものとする。
【００３７】
デジタルＴＶ装置（ＤＴＶ）９は地上波デジタルＴＶ放送チューナーの受信装置であり、受信チャンネル情報１５をＣＰＵ１に送出する。
【００３８】
図７には、図６に示された携帯端末の動作（画面輝度制御処理）を説明するためのフローチャートが示されている。
【００３９】
図７を、図６及び図３と共に参照して、携帯端末において表示装置３が画像を表示中の輝度制御について説明する。図７のフローチャートにおいて、通常状態（無線使用周波数変更時でも照度制御実施時でもＤＴＶ起動検出時でもＤＴＶ受信ＣＨ変更時でもない状態）では、無線部４が使用している無線周波数情報と受信強度情報を使用信号１３としてＣＰＵ１に送出する。ＣＰＵ１は使用信号１３の使用している無線周波数情報を監視する。同様にＣＰＵ１はＤＴＶからの受信周波数情報１５とＤＴＶの起動も監視する。ＰＷＭ制御部２内のＰＷＭ周波数設定回路１０２はＣＰＵ１からのＰＷＭ周波数制御信号１２に応じて使用周波数を選択しＰＷＭ回路１０１へ送出する。ＰＷＭ回路１０１は、ＰＷＭ周波数設定回路１０２から送出された信号を基にＰＷＭ制御回路周波数を決定し、ＣＰＵ１からの輝度調整信号１１を用いてＰＷＭ制御を行い電流を生成し表示装置３へ送出することで画面の輝度制御を行う。
【００４０】
ＤＴＶ９は地上波デジタルＴＶ放送の視聴を開始（ＤＴＶ起動検出）する、または地上波デジタルＴＶ放送チャンネルを変更（ＤＴＶ受信ＣＨ変更）すると、その際のチャンネルを受信チャンネル情報１５を用いてＣＰＵ１に送出する。ＣＰＵ１はＤＴＶ起動の際の受信チャンネルを検出する、或いは監視していた受信チャンネル情報１５の変更を検出すると、ＰＷＭ制御周波数変更を実行する。ＰＷＭ制御周波数変更は上述の第１の実施形態と同じ動作であるので説明を省略する。
【００４１】
なお、例としてＤＴＶ９を地上波デジタルＴＶ放送としたが、アナログ方式のＴＶやラジオ、他方式の無線部(例えばＧＳＭ(Global System for Mobile Communications)やBluetooth)などでも同様の制御が可能である。
【００４２】
また、本発明が適用される電子装置としては、携帯電話端末や、ＰＨＳ（Personal Handyphone System）端末、ＰＤＡ（Personal Data Assistance）端末（個人向け携帯型情報通信機器）などの、画像を表示する携帯端末であれば良い。
【００４３】
以上、実施形態を参照して本願発明を説明したが、本願発明は上記実施形態に限定されるものではない。
【図面の簡単な説明】
【００４４】
【図１】関連技術としての電子装置（携帯端末）のブロック図である。
【図２】本発明の第１の実施形態による電子装置（携帯端末）のブロック図である。
【図３】図２に示された電子装置（携帯端末）のＰＷＭ制御部２の回路構成を示したブロック図である。
【図４】図２に示された電子装置（携帯端末）の動作を説明するためのフローチャートである。
【図５】図４のＰＷＭ制御周波数変更を説明するためのフローチャートである。
【図６】本発明の第２の実施形態による電子装置（携帯端末）のブロック図である。
【図７】図６に示された電子装置（携帯端末）のの動作を説明するためのフローチャートである。
【符号の説明】
【００４５】
１    ＣＰＵ
２    ＰＷＭ制御部
３    表示装置
４    無線部
５    ＲＡＭ
６    ＲＯＭ
７    入力部（ＫＥＹ）
８    照度センサ
９    デジタルＴＶ装置（ＤＴＶ）
１０１    ＰＷＭ回路
１０２    ＰＷＭ周波数設定回路
【図１】
2010130380.tif 000003
【図２】
2010130380.tif 000004
【図３】
2010130380.tif 000005
【図４】
2010130380.tif 000006
【図５】
2010130380.tif 000007
【図６】
2010130380.tif 000008
【図７】
2010130380.tif 000009